(57)【要約】【課題】食事時間帯に施設の顧客が容易に施設近隣の飲食店に関する情報を知ることができ、顧客にとって利便性の高い電子広告配信システム等を提供する。【解決手段】広告情報管理装置１００は、食事時間帯の所定時刻となった際に地域飲食店広告情報管理装置２００から受信した広告情報ファイルにより自己が管理する地域飲食店広告情報データベースを更新登録し、その後、地域飲食店広告情報データベースにおける広告情報ファイルを表示スケジュールに従って順次表示装置３００に配信する。【選択図】図１
2012118183.tif 000002
【特許請求の範囲】
【請求項１】
施設に設けられ、表示部と表示制御部とを有する表示装置と、
地域飲食店用広告情報を管理する地域飲食店用広告情報管理部と、地域飲食店に設けられた端末装置の操作により前記地域飲食店用広告情報の更新登録を行う更新登録部と、を有する地域飲食店広告情報管理装置と、
施設内店舗用広告情報と地域飲食店用広告情報とを管理する広告情報管理部と、所定時刻となった際に前記地域飲食店広告情報管理装置より前記更新登録された地域飲食店用広告情報を取得する取得部と、前記広告情報管理部が管理する前記地域飲食店用広告情報を前記取得した地域飲食店用広告情報に更新登録する更新登録部と、前記更新登録後、前記広告情報管理部が管理する前記地域飲食店用広告情報を前記表示装置に配信する配信部と、を有する広告情報管理装置と、を備え、
前記表示制御部は、前記広告情報管理装置から配信された前記施設内店舗用広告情報に基づき前記表示部に広告を表示させている際に前記広告情報管理装置から前記地域飲食店用広告情報が配信されると、前記配信された地域飲食店用広告情報に基づき前記表示部の広告表示を切替えることを特徴とする電子広告配信システム。
【請求項２】
前記配信された地域飲食店用広告情報に基づき前記表示部に広告が表示されている際に地域飲食店のクーポン画像情報を近接無線通信により携帯端末装置に送信する送信部を前記表示装置は備えていることを特徴とする請求項１に記載の電子広告配信システム。
【請求項３】
施設内店舗用広告情報と地域飲食店用広告情報とを管理する広告情報管理部と、所定時刻となった際に地域飲食店広告情報管理装置より地域飲食店用広告情報を取得する取得部と、前記広告情報管理部が管理する前記地域飲食店用広告情報を前記取得した地域飲食店用広告情報に更新登録する更新登録部と、前記更新登録後、前記広告情報管理部が管理する前記地域飲食店用広告情報を施設に設けられる表示装置に配信する配信部と、を有することを特徴とする広告情報管理装置。
【請求項４】
地域飲食店用広告情報を管理する地域飲食店用広告情報管理部と、地域飲食店に設けられた端末装置の操作により前記地域飲食店用広告情報の更新登録を行う更新登録部と、所定時刻となった際に、施設に設けられる表示装置へ広告情報配信を行う広告情報管理装置からの要求を受けて前記更新登録された地域飲食店用広告情報を前記広告情報管理装置へ送信する送信部と、を有することを特徴とする地域飲食店広告情報管理装置。
【請求項５】
施設に設けられ、表示部と表示制御部とを有する表示装置であって、前記表示制御部は、広告情報管理装置から配信された施設内店舗用広告情報に基づき前記表示部に広告を表示させている際に所定の時刻となり前記広告情報管理装置から地域飲食店用広告情報が配信されると、前記配信された地域飲食店用広告情報に基づき前記表示部の広告表示を切替えることを特徴とする表示装置。
【発明の詳細な説明】
【技術分野】
【０００１】
本発明は、電子広告配信システムに関するものである。
【背景技術】
【０００２】
近年、大型のショッピングモールのような商業施設が急速に増加している。このような施設内には、フードコートや専門飲食店が設営されているため、顧客は買い物をして食事をとるケースが多い。
【０００３】
しかしながら、休日のような混雑時においては、当該施設に来客した顧客数に対し、上記フードコートや専門飲食店の収容可能人数が少なく、来客した顧客のすべてを収容することができない。
【０００４】
このような場合、食事をするため顧客は、順番待ちをするか、または施設から外に出て食事をするか、帰宅しなければならない。特に、施設には駐車場が併設されているケースが多く、車両で来店した顧客は食事を取るために車両で一度外に出た場合、再度買い物を行うために食事後に戻ってくるケースは少なく、そのまま帰宅するケースが多い。
【０００５】
ここで、特許文献１には、ユーザが直接インターネットへ接続し、地域における飲食店の検索、選択を行い、予約を行うインターネットを利用した飲食店の利用方法が開示されている。このようなインターネット接続するユーザ端末を商業施設に設置すれば、食事の時間帯に顧客が施設近隣の飲食店の検索等を行うことができ、駐車場に車両を止めたまま施設近隣の飲食店まで食事をしに行くことができる。
【先行技術文献】
【特許文献】
【０００６】
【特許文献１】特開２００１−３０６７１４号公報
【発明の概要】
【発明が解決しようとする課題】
【０００７】
しかしながら、上記特許文献１を利用した形態では、顧客がユーザ端末による店舗検索等を行う必要があり、顧客にとっては煩わしいといった問題がある。
【０００８】
そこで、本発明は、食事時間帯に施設の顧客が容易に施設近隣の飲食店に関する情報を知ることができ、顧客にとって利便性の高い電子広告配信システム等を提供することを目的とする。
【課題を解決するための手段】
【０００９】
上記目的を達成するために本発明の電子広告配信システムは、施設に設けられ、表示部と表示制御部とを有する表示装置と、
地域飲食店用広告情報を管理する地域飲食店用広告情報管理部と、地域飲食店に設けられた端末装置の操作により前記地域飲食店用広告情報の更新登録を行う更新登録部と、を有する地域飲食店広告情報管理装置と、
施設内店舗用広告情報と地域飲食店用広告情報とを管理する広告情報管理部と、所定時刻となった際に前記地域飲食店広告情報管理装置より前記更新登録された地域飲食店用広告情報を取得する取得部と、前記広告情報管理部が管理する前記地域飲食店用広告情報を前記取得した地域飲食店用広告情報に更新登録する更新登録部と、前記更新登録後、前記広告情報管理部が管理する前記地域飲食店用広告情報を前記表示装置に配信する配信部と、を有する広告情報管理装置と、を備え、
前記表示制御部は、前記広告情報管理装置から配信された前記施設内店舗用広告情報に基づき前記表示部に広告を表示させている際に前記広告情報管理装置から前記地域飲食店用広告情報が配信されると、前記配信された地域飲食店用広告情報に基づき前記表示部の広告表示を切替える構成とする。
【００１０】
このような構成によれば、所定時刻となった際に施設に設けられた表示装置の表示部において施設内店舗用広告の表示から地域店舗用広告の表示に切替るので、食事時間帯に施設の顧客は表示部を見ることで容易に施設近隣の地域飲食店に関する情報を知ることができる。特に施設に駐車場が設けられているような場合、車両で施設に来た顧客は車両を止めたまま施設近隣の地域飲食店へ食事に行くことができ、食事後施設へ戻ることができる。
【００１１】
従って、施設としては、従来車両で食事へ行ってしまい戻ってこなかったような顧客を再度取り込むことが可能となる。また、地域飲食店により登録された地域飲食店用広告情報が施設の表示装置に表示されるので、施設は地域飲食店から広告料を取得することも可能となる。
【００１２】
また、地域飲食店としては、登録した地域飲食店用広告情報が施設の表示装置に表示されるので、食事時間帯に施設の飲食顧客を取り込むことが可能となる。
【００１３】
また、上記構成において、前記配信された地域飲食店用広告情報に基づき前記表示部に広告が表示されている際に地域飲食店のクーポン画像情報を近接無線通信により携帯端末装置に送信する送信部を前記表示装置は備えている構成としてもよい。
【００１４】
このような構成によれば、施設の顧客が表示装置に表示された地域飲食店の広告を見て、携帯端末装置を送信部に接近させると、地域飲食店のクーポン画像を携帯端末装置に取得できるので、顧客は地域飲食店にてクーポン画像を提示することで各種サービスを受けることができる。
【００１５】
また、上記目的を達成するために本発明の広告情報管理装置は、施設内店舗用広告情報と地域飲食店用広告情報とを管理する広告情報管理部と、所定時刻となった際に地域飲食店広告情報管理装置より地域飲食店用広告情報を取得する取得部と、前記広告情報管理部が管理する前記地域飲食店用広告情報を前記取得した地域飲食店用広告情報に更新登録する更新登録部と、前記更新登録後、前記広告情報管理部が管理する前記地域飲食店用広告情報を施設に設けられる表示装置に配信する配信部と、を有する構成とする。
【００１６】
また、上記目的を達成するために本発明の地域飲食店広告情報管理装置は、地域飲食店用広告情報を管理する地域飲食店用広告情報管理部と、地域飲食店に設けられた端末装置の操作により前記地域飲食店用広告情報の更新登録を行う更新登録部と、所定時刻となった際に、施設に設けられる表示装置へ広告情報配信を行う広告情報管理装置からの要求を受けて前記更新登録された地域飲食店用広告情報を前記広告情報管理装置へ送信する送信部と、を有する構成とする。
【００１７】
また、上記目的を達成するために本発明の表示装置は、施設に設けられ、表示部と表示制御部とを有する表示装置であって、前記表示制御部は、広告情報管理装置から配信された施設内店舗用広告情報に基づき前記表示部に広告を表示させている際に所定の時刻となり前記広告情報管理装置から地域飲食店用広告情報が配信されると、前記配信された地域飲食店用広告情報に基づき前記表示部の広告表示を切替える構成とする。
【発明の効果】
【００１８】
本発明によると、食事時間帯に施設の顧客が容易に施設近隣の飲食店に関する情報を知ることができ、顧客にとって利便性の高いものとなる。
【図面の簡単な説明】
【００１９】
【図１】本発明の一実施形態に係る電子広告配信システムの全体構成を示す図である。
【図２】本発明の一実施形態に係る地域飲食店端末装置と地域飲食店広告情報管理装置のブロック構成を示す図である。
【図３】本発明の一実施形態に係る地域飲食店広告情報管理装置、広告情報管理装置並びに表示装置のブロック構成を示す図である。
【図４】装置管理ＤＢ（データベース）の一例を示す図である。
【図５】自施設広告情報ＤＢの一例を示す図である。
【図６】地域飲食店管理ＤＢの一例を示す図である。
【図７】地域飲食店広告情報ＤＢの一例を示す図である。
【図８】地域飲食店広告情報管理装置により管理される地域飲食店広告情報ＤＢの更新処理に関するシーケンスを示す図である。
【図９】広告情報の表示装置への配信処理に関するシーケンスを示す図である。
【発明を実施するための形態】
【００２０】
以下に本発明の実施形態を図面を参照して説明する。本発明の一実施形態に係る電子広告配信システムの全体構成を図１に示す。図１に示す電子広告配信システムにおいては、広告情報を管理する広告情報管理装置１００と、地域飲食店用の広告情報を管理する地域飲食店広告情報管理装置２００と、広告情報管理装置１００から配信された広告情報を表示する表示装置３００とが、ショッピングモール等の商業施設に設置される。表示装置３００は、商業施設の各場所に設置されており、施設の出入り口や施設内の飲食店近辺に設置される特定の表示装置３００には広告情報管理装置１００から地域飲食店の広告情報が配信されて表示される。また、施設内の一部の表示装置３００には後述するクーポン画像を送信するための画像送信端末３３が接続される。
【００２１】
また、地域飲食店広告情報管理装置２００と、商業施設近隣の地域飲食店に設置される地域飲食店端末装置４００とは、インターネット５０に接続可能である。地域飲食店端末装置４００によりインターネット５０経由で地域飲食店広告情報管理装置２００へアクセスすることができ、地域飲食店広告情報管理装置２００に地域飲食店の広告情報を更新登録させることができる。
【００２２】
このような本発明の一実施形態に係る電子広告配信システムにおける各装置のブロック構成を図２および図３に示す。
【００２３】
地域飲食店端末装置４００は、制御部４０と、操作部４１と、表示部４２と、通信部４３とを備えている。制御部４０は、例えばＣＰＵ等から構成され、地域飲食店端末装置４００における各部を制御して必要な処理を実行する。操作部４１は、例えばキーボードやマウス等から構成され、制御部４０にユーザ操作に応じた操作信号を入力させる。表示部４２は、地域飲食店の広告情報等各種画像を表示する。通信部４３は、インターネット５０を介して地域飲食店広告情報管理装置２００の通信部２３との通信を実行する。
【００２４】
地域飲食店広告情報管理装置２００は、制御部２０と、操作部２１と、通信部２２と、通信部２３と、表示部２４と、ＤＢ（データベース）記憶部２５とを備えている。制御部２０は、例えばＣＰＵ等から構成され、地域飲食店広告情報管理装置２００における各部を制御して必要な処理を実行する。操作部２１は、例えばキーボードやマウス等から構成され、制御部２０にユーザ操作に応じた操作信号を入力させる。通信部２２は、広告情報管理装置１００の通信部１１との有線または無線による通信を実行する。この通信方式は、例えばＴＣＰ／ＩＰ（Transmission Control Protocol/Internet Protocol）またはＵＤＰ／ＩＰ（User Datagram Protocol/Internet Protocol）を採用することができる。通信部２３は、インターネット５０を介して地域飲食店端末装置４００の通信部４３との通信を実行する。表示部２４は、地域飲食店の広告情報等各種画像を表示する。ＤＢ記憶部２５は、後述する地域飲食店広告情報ＤＢ９０を記憶する。
【００２５】
広告情報管理装置１００は、制御部１０と、通信部１１と、操作部１２と、表示部１３と、ＤＢ記憶部１４と、通信部１５とを備えている。制御部１０は、例えばＣＰＵ等から構成され、広告情報管理装置１００における各部を制御して必要な処理を実行する。通信部１１は、地域飲食店広告情報管理装置２００の通信部２２との有線または無線による通信を実行する。操作部１２は、例えばキーボードやマウス等から構成され、制御部１０にユーザ操作に応じた操作信号を入力させる。表示部１３は、自施設の広告情報や地域飲食店の広告情報等各種画像を表示する。ＤＢ記憶部１４は、後述する装置管理ＤＢ６０、自施設広告情報ＤＢ７０、地域飲食店管理ＤＢ８０並びに地域飲食店広告情報ＤＢ９０’を記憶する。通信部１５は、表示装置３００の通信部３１との有線または無線による通信を実行する。この通信方式は、例えばＴＣＰ／ＩＰまたはＵＤＰ／ＩＰを採用することができる。
【００２６】
表示装置３００は、制御部３０と、通信部３１と、表示部３２とを備えている。制御部３０は、例えばＣＰＵ等から構成され、表示装置３００における各部を制御して必要な処理を実行する。通信部３１は、広告情報管理装置１００の通信部１５との有線または無線による通信を実行する。表示部３２は、表示装置３００が自施設広告情報の表示専用であれば自施設広告情報を表示し、表示装置３００が自施設広告情報と地域飲食店の広告情報を表示するためのものであれば、自施設広告情報と地域飲食店の広告情報を表示する。
【００２７】
また、施設内の一部の表示装置３００については、表示装置３００外部に画像送信端末３３が制御部３０に接続される。画像送信端末３３は、例えばTransferJet等の近接無線通信により当該通信手段を備えもつ携帯電話やデジタルカメラ等の携帯端末装置と通信を実行し、後述するクーポン画像を携帯端末装置へ送信する。
【００２８】
次に、広告情報管理装置１００および地域飲食店広告情報管理装置２００により管理される各種データベースについて図４〜図７を用いて説明する。
【００２９】
広告情報管理装置１００により管理される装置管理ＤＢ６０の一例を図４に示す。装置管理ＤＢ６０は、連番で付される装置ＩＤと、表示装置３００と地域飲食店広告情報管理装置２００を識別するための装置識別ＩＤと、各装置のアドレスを示す装置アドレスとから成る。図４において装置識別ＩＤが「１」は表示装置３００を示し、「２」は地域飲食店広告情報管理装置２００を示す。
【００３０】
広告情報管理装置１００により管理される自施設広告情報ＤＢ７０の一例を図５に示す。自施設広告情報ＤＢ７０は、連番が付される広告ＩＤと、コンテンツＩＤと、商業施設内の店舗を広告するための広告情報ファイルと、上述した装置ＩＤと、表示時間帯を示す表示スケジュールと、商業施設内の店舗で利用できるクーポンであるクーポン画像ファイルと、広告情報ファイルやクーポン画像ファイル等の更新登録タイミングを示す更新日および更新時間とから成る。クーポン画像ファイルは例えばＪＰＥＧファイル等であり、図５で「０」とはクーポン画像ファイルが無いことを示す。
【００３１】
広告情報管理装置１００により管理される地域飲食店管理ＤＢ８０の一例を図６に示す。地域飲食店管理ＤＢ８０は、連番が付されて地域飲食店を識別するための地域店舗ＩＤと、地域飲食店の店舗名称を示す店舗名と、会員ＩＤと、会員パスワードとから成る。地域飲食店は商業施設へ会員登録することにより会員ＩＤと会員パスワードを配布され、会員となっている地域飲食店は地域飲食店管理ＤＢ８０により管理される。
【００３２】
地域飲食店広告情報装置２００により管理される地域飲食店広告情報ＤＢ９０の一例を図７に示す。地域飲食店広告情報ＤＢ９０は、地域店舗ＩＤと、店舗名と、コンテンツＩＤと、地域飲食店を広告するための広告情報ファイルと、地域飲食店で利用できるクーポンであるクーポン画像ファイル（例えばＪＰＥＧファイル等）と、広告情報ファイルやクーポン画像ファイル等の更新タイミングを示す更新日および更新時間とから成る。また、広告情報管理装置１００により管理される地域飲食店広告情報ＤＢ９０’は、地域飲食店広告情報ＤＢ９０と同様の構成となっている。
【００３３】
次に、地域飲食店広告情報管理装置２００により管理される地域飲食店広告情報ＤＢ９０の更新処理について図８に示すシーケンスを用いて説明する。
【００３４】
まず、地域飲食店端末装置４００の制御部４０は、操作部４１によりログイン操作がされると、通信部４３を介して地域飲食店広告情報管理装置２００の通信部２３へ接続要求を送信する（ステップＳ１）。地域飲食店広告情報管理装置２００の制御部２０は接続要求を受信すると、通信部２３を介して通信部４３へ会員ＩＤおよび会員パスワードの入力要求を送信する（ステップＳ２）。
【００３５】
地域飲食店端末装置４００の制御部４０は、会員ＩＤおよび会員パスワードの入力要求を受信すると、表示部４２に会員ＩＤおよび会員パスワードの入力画面を表示させる。ここで、操作部４１の操作により会員ＩＤおよび会員パスワードが入力され決定されると、制御部４０は、通信部４３を介して通信部２３へ入力された会員ＩＤおよび会員パスワードを送信する（ステップＳ３）。
【００３６】
地域飲食店広告情報管理装置２００の制御部２０は、入力された会員ＩＤおよび会員パスワードを受信すると、通信部２２を介して広告情報管理装置１００の通信部１１へ受信した会員ＩＤおよび会員パスワードと共にログイン判定要求を送信する（ステップＳ４）。広告情報管理装置１００の制御部１０は、会員ＩＤおよび会員パスワードと共にログイン判定要求を受信すると、ＤＢ記憶部１４に記憶された地域飲食店管理ＤＢ８０に受信した会員ＩＤおよび会員パスワードと一致する会員ＩＤおよび会員パスワードがあるか否かを判定する。もし、そのような会員ＩＤおよび会員パスワードが無い場合は、会員ＩＤおよび会員パスワードが不正であるとして、制御部１０は通信部１１を介して通信部２２へエラー通知を送信する。制御部２０は、エラー通知を受信すると、通信部２３を介して通信部４３へエラー通知を送信し、制御部４０はエラー通知を受信すると、ログインエラー表示を表示部４２に表示させる。
【００３７】
一方、ログイン判定で上記のような会員ＩＤおよび会員パスワードがあった場合は（ステップＳ５）、制御部１０は、通信部１１を介して通信部２２へ、地域飲食店管理ＤＢ８０において会員ＩＤおよび会員パスワードに対応する地域店舗ＩＤと共に会員店舗の登録済み通知を送信する（ステップＳ６）。制御部２０は、地域店舗ＩＤと共に会員店舗の登録済み通知を受信すると、通信部２３を介して通信部４３へログイン成功通知を送信する（ステップＳ７）。また、制御部２０は、受信した地域店舗ＩＤに対応する広告情報ファイルとクーポン画像ファイルを地域飲食店広告情報ＤＢ９０から検索し（ステップＳ８）、検索された広告情報ファイルとクーポン画像ファイルを通信部２３を介して通信部４３へ送信する（ステップＳ９）。制御部４０は、広告情報ファイルとクーポン画像ファイルを受信すると、受信した広告情報ファイルとクーポン画像ファイルに基づき表示部４２に広告情報とクーポン画像を表示させる。
【００３８】
ここで、操作部４１の操作に応じて制御部４０は広告情報ファイルとクーポン画像ファイルを更新し、操作部４１により更新決定操作がされると、制御部４０は、更新された広告情報ファイルとクーポン画像ファイルを通信部４３を介して通信部２３に送信する（ステップＳ１０）。制御部２０は、広告情報ファイルとクーポン画像ファイルを受信すると、地域飲食店広告情報ＤＢ９０における上記で検索された広告情報ファイルとクーポン画像ファイルを受信した広告情報ファイルとクーポン画像ファイルに更新登録する。この際、更新日および更新時間も現在時刻に更新登録する（ステップＳ１１）。そして、制御部２０は、通信部２３を介して通信部４３へ更新登録通知を送信する。（ステップＳ１２）。制御部４０は、更新登録通知を受信すると、表示部４２に更新登録完了表示を表示させる。
【００３９】
そして、操作部４１によりログアウト操作がされると、制御部４０は、通信部４３を介して通信部２３へログアウト要求を送信する（ステップＳ１３）。制御部２０は、ログアウト要求を受信すると、通信部２３を介して通信部４３へログアウト通知を送信する（ステップＳ１４）。制御部４０は、ログアウト通知を受信すると、表示部４２にログアウト表示を表示させる。
【００４０】
次に、広告情報の表示装置への配信処理について図９に示すシーケンスを用いて説明する。
【００４１】
まず、広告配信の通常処理について説明する。広告情報管理装置１００の制御部１０は、ＤＢ記憶部１４に記憶された自施設広告情報ＤＢ７０の表示スケジュールと現在時刻とに基づき配信すべき広告情報ファイルとクーポン画像ファイルを確定する（ステップＳ２１）。ただし、クーポン画像ファイルが無い場合は当然にクーポン画像ファイルは確定できない。そして、制御部１０は、確定した広告情報ファイルとクーポン画像ファイルを、通信部１５を介して対応する装置ＩＤの表示装置３００の通信部３１へ配信する（クーポン画像が確定できない場合は当然にクーポン画像は送信しない）（ステップＳ２２）。
【００４２】
表示装置３００の制御部３０は、広告情報ファイルとクーポン画像ファイルを受信すると、受信した広告情報ファイルに基づき表示部３２に広告を表示させる（ステップＳ２３）。これにより、表示装置３００に施設内の店舗の広告が表示されることとなる。そして、制御部３０は、通信部３１を介して通信部１５へ正常表示通知を送信する（ステップＳ２４）。このようなステップＳ２１〜ステップＳ２４の通常処理は所定の周期で繰り返される。
【００４３】
なお、表示部３２に広告が表示されている間に近接無線通信手段を備えもつ携帯電話等の携帯端末装置が画像送信端末３３に近接された場合は、制御部３０は、受信したクーポン画像ファイルを画像送信端末３３を介して携帯端末装置に近接無線通信により送信する。これにより、携帯端末装置はクーポン画像ファイルを取得することができ、顧客はクーポン画像を施設内の店舗の店員に見せることにより各種サービスを受けることができる。
【００４４】
広告情報管理装置１００の制御部１０が食事時間帯の第１所定時刻（例えば昼食時間帯を１１：３０〜１３：００として１１：３０、夕食時間帯を１８：００〜２０：００として１８：００等）に現在時刻がなったことを検出すると（ステップＳ２５）、制御部１０は、通信部１１を介して通信部２２へ地域飲食店広告情報ＤＢ９０の情報要求を送信する（ステップＳ２６）。すると、地域飲食店広告情報管理装置２００の制御部２０は、地域飲食店広告情報ＤＢ９０における更新日および更新時間を広告情報ファイルおよびクーポン画像ファイルと共に通信部２２を介して通信部１１へ送信する（ステップＳ２７）。
【００４５】
広告情報管理装置１００の制御部１０は、更新日および更新時間を広告情報ファイルおよびクーポン画像ファイルと共に受信すると、ＤＢ記憶部１４に記憶された地域飲食店広告情報ＤＢ９０’における更新日および更新時間を受信した更新日および更新時間と比較し、受信した更新日および更新時間で示される更新タイミングのほうが新しければ、地域飲食店広告情報ＤＢ９０’における対応する広告情報ファイルおよびクーポン画像ファイルを受信した広告情報ファイルおよびクーポン画像ファイルに更新登録する（ステップＳ２８）。この際、地域飲食店広告情報ＤＢ９０’における対応する更新日および更新時間を現在時刻に更新登録する。
【００４６】
なお、地域飲食店広告情報ＤＢ９０において更新フラグを追加し、更新があれば更新フラグを立てるようにしてもよい。そして、更新フラグが立っている広告情報ファイルおよびクーポン画像ファイルのみを制御部２０から制御部１０へ送信し、制御部１０が地域飲食店広告情報ＤＢ９０’における対応する広告情報ファイルおよびクーポン画像ファイルを受信した広告情報ファイルおよびクーポン画像ファイルに更新登録するようにしてもよい。
【００４７】
上記のように地域飲食店広告情報ＤＢ９０’が更新された後、制御部１０は、地域飲食店広告情報ＤＢ９０’における最初に配信させる広告情報ファイルおよびクーポン画像ファイル（例えば地域店舗ＩＤが「１」のもの）を表示切替え要求と共に、通信部１５を介して特定の装置ＩＤの表示装置３００が有する通信部３１へ送信する（ステップＳ２９）。特定の装置ＩＤの表示装置３００とは、施設の出入り口や施設内の飲食店近辺に設置される表示装置３００である。
【００４８】
表示装置３００の制御部３０は、広告情報ファイルおよびクーポン画像ファイルと共に表示切替え要求を受信すると、現在表示している施設内の店舗の広告に替えて受信した広告情報ファイルの広告を表示部３２に表示させる（ステップＳ３０）。これにより、地域飲食店の広告が特定の表示装置３００に表示される。そして、制御部３０は、通信部３１を介して通信部１５へ表示切替え通知を送信し、制御部１０がその通知を受信する（ステップＳ３１）。
【００４９】
以降、表示スケジュールに従って制御部１０は、地域飲食店広告情報ＤＢ９０’における広告情報ファイルとクーポン画像ファイルを順次特定の表示装置３００に配信し、表示装置３００の表示部３２に配信された広告情報の広告が順次表示される。ここで表示スケジュールとは、例えば地域飲食店広告情報ＤＢ９０’における全店舗の広告を第１所定時刻から後述の第２所定時刻までの期間内に均等時間で表示させるようなスケジュールであればよい。
【００５０】
また、表示部３２に地域飲食店の広告が表示されている間に近接無線通信手段を備えもつ携帯電話等の携帯端末装置が画像送信端末３３に近接された場合は、制御部３０は、受信したクーポン画像ファイルを画像送信端末３３を介して携帯端末装置に近接無線通信により送信する。これにより、携帯端末装置はクーポン画像ファイルを取得することができ、顧客はクーポン画像を地域飲食店の店員に見せることにより各種サービスを受けることができる。
【００５１】
なお、上記では広告情報管理装置１００が地域飲食店の広告表示の表示スケジュールを管理しているが、事前に表示装置３００に別途記憶装置（ＨＤＤ等）を接続しておき、地域飲食店広告情報ＤＢ９０’における全ての広告情報ファイルとクーポン画像ファイルを一度にその記憶装置に記憶させ、表示装置３００の制御部３０が表示スケジュールに従って記憶装置に記憶された広告情報ファイルを順次表示部３２に表示させるようにしてもよい。
【００５２】
さらにこの実施形態の場合、地域飲食店広告情報ＤＢ９０’における店舗名も記憶装置に記憶させるようにし、表示部３２にタッチパネルの機能を持たせ、表示部３２に表示された一覧表示ボタンが押されると、制御部３０が記憶装置に記憶された店舗名の一覧を表示部３２に表示させるようにしてもよい。ここで、店舗名が選択されると、制御部３０が選択された店舗名に対応する記憶装置に記憶されたクーポン画像ファイルを画像送信端末３３を介して携帯端末装置に近接無線通信により送信する。これにより、顧客は所望する地域飲食店のクーポンを容易に取得できる。
【００５３】
広告情報管理装置１００の制御部１０が食事時間帯の第２所定時刻（例えば昼食なら１２：３０、夕食なら１９：３０等）を現在時刻が経過したことを検出すると（ステップＳ３２）、制御部１０は、自施設広告情報ＤＢ７０の表示スケジュールと現在時刻とに基づき配信すべき広告情報ファイルとクーポン画像ファイルを確定する（ステップＳ３３）。
【００５４】
そして、制御部１０は、通信部１５を介して上述した特定の装置ＩＤの表示装置３００が有する通信部３１へ対応する確定した広告情報ファイルとクーポン画像ファイルを表示切替え要求と共に送信する（ステップＳ３４）。表示装置３００の制御部３０は、広告情報ファイルおよびクーポン画像ファイルと共に表示切替え要求を受信すると、現在表示している地域飲食店の広告に替えて受信した広告情報ファイルの広告を表示部３２に表示させる（ステップＳ３５）。これにより、特定の表示装置３００において地域飲食店の広告から施設内の店舗の広告に表示が切替る。そして、制御部３０は、通信部３１を介して通信部１５へ表示切替え通知を送信し、制御部１０がその通知を受信する（ステップＳ３６）。
【００５５】
以上のような本発明の実施形態によれば、施設の顧客は、食事時間帯になった際に地域飲食店の広告を表示している表示装置３００を見ることにより、施設近隣の地域飲食店の情報を知ることができる。従って、顧客は、施設内の飲食施設が混雑しており車両で施設に来ている場合でも、駐車場に車両を止めたまま徒歩により地域飲食店へ食事に行くことができる。そして、食事後に施設に戻ってくることにより、買い物を継続することができる。また、食事後に施設に戻ってきた際にレシートを提示することにより、駐車料金の無料サービスを受けることも可能である。
【００５６】
また、携帯端末装置にクーポン画像を取得した場合は、地域飲食店にて食事をした顧客は、クーポン画像を提示することによりクーポンに応じた飲食サービスを受けることができる。また、施設に戻った際にクーポン画像とレシートを提示することにより駐車料金の無料サービスを受けることも可能である。
【００５７】
また、商業施設としては、従来では食事のために車両で施設から出てしまったような顧客を再度施設へ取り込むことが可能となる。また、会員となる地域飲食店から広告料を取得することも可能となる。
【００５８】
さらに、地域飲食店としては、地域飲食店端末装置により広告情報を登録しておけば、近隣の商業施設において食事時間帯に広告を表示してもらうことが可能となり、食事時間帯における施設からの飲食顧客を取り込むことができる。
【００５９】
以上本発明の実施形態について説明したが、本発明の趣旨の範囲内であれば、実施形態は種々に変更が可能である。
【符号の説明】
【００６０】
１００  広告情報管理装置
２００  地域飲食店広告情報管理装置
３００  表示装置
４００  地域飲食店端末装置
３３  画像送信端末
５０  インターネット
６０  装置管理ＤＢ
７０  自施設広告情報ＤＢ
８０  地域飲食店管理ＤＢ
９０、９０’  地域飲食店広告情報ＤＢ
【図１】
2012118183.tif 000003
【図２】
2012118183.tif 000004
【図３】
2012118183.tif 000005
【図４】
2012118183.tif 000006
【図５】
2012118183.tif 000007
【図６】
2012118183.tif 000008
【図７】
2012118183.tif 000009
【図８】
2012118183.tif 000010
【図９】
2012118183.tif 000011